(57)【要約】【課題】外部から装飾板の小孔に入光した光の反射光が小孔内を直線的に出光するのを低減し、スピーカの存在感をなくし、キャビネットの前側のデザインをスリムな印象に見せることができるスピーカ装置及び表示装置を提供する。【解決手段】音声を外部に放出する複数の大孔１１を有する音声放出板部１と、大孔１１よりも小さい複数の小孔３１を有し、音声放出板部１の一面を装飾する装飾板とを備え、大孔１１を、装飾板に臨む側を該大孔１１の中心軸に対して傾斜する方向へ広くし、軸断面形状が台形をなすことにより、外部から小孔３１に入力した光が、大孔１１の傾斜する面に当たり、反射光が小孔３１内を直線的に出光しないようにした。【選択図】図７
2009177622.tif 000002
【特許請求の範囲】
【請求項１】
大孔を有する音声放出板部と、複数の小孔を有し、前記音声放出板部の一面を装飾する装飾板とを備えたスピーカ装置において、前記大孔は、前記装飾板に臨む側を該大孔の中心軸に対して傾斜する方向へ広くしてあることを特徴とするスピーカ装置。
【請求項２】
前記大孔の軸断面形状は台形をなしている請求項１記載のスピーカ装置。
【請求項３】
前記音声放出板部の一面及び前記大孔内は塗装してあり、前記装飾板は、前記大孔に対応する箇所に該大孔よりも大きい貫通孔を有する両面テープにより前記音声放出板部に貼付けられている請求項１又は２記載のスピーカ装置。
【請求項４】
表示面を有する表示部と、該表示部を支持する支持体と、前記表示部の一側に装着される請求項１から３のいずれか一つに記載のスピーカ装置とを備えることを特徴とする表示装置。
【発明の詳細な説明】
【技術分野】
【０００１】
本発明は音声を外部に出力するスピーカ装置、及びこれを備えるテレビジョン等の表示装置に関する。
【背景技術】
【０００２】
液晶テレビジョン等の表示装置は、前側に表示面を有する表示部と、該表示部の下側に装着され、音声を前方へ出力するスピーカと、前記表示部の周縁部を被覆する枠部及びスピーカの前側を被覆し、音声を外部に放出する複数の大孔を有する音声放出板部とが一体に成形されているキャビネットと、前記大孔よりも小さい複数の小孔を有し、前記音声放出板部の外面に貼着されているパンチングシートと、該パンチングシートに貼着されているネットとを備え、該ネットが音声放出板部を装飾している（例えば、特許文献１参照）。
【特許文献１】実開平７−３３０９０号公報
【発明の開示】
【発明が解決しようとする課題】
【０００３】
ところが、特許文献１のようにパンチングシートにネットが貼着されている表示装置にあっては、ネットの裏側にスピーカが存在することが外見で認識できるため、表示装置の前側のデザインをスリムな印象に見せることができないし、また、キャビネットが明るい色調に塗装されている場合、ネットを透視して音声放出板部の塗装色が見えることになり、違和感を来し、外観の品位低下を来すことになるため好ましくない。
【０００４】
図８は本発明の出願人が先に開発した表示装置の装飾板を取外してある状態の一部を拡大した正面図、図９は裏面に両面テープが貼着されている装飾板の一部の構成を示す正面図、図１０は表示装置の装飾板を取付けてある状態を示すもので、(a) は一部を拡大した正面図、(b) は横断面図である。
【０００５】
本発明の出願人は図８〜図１０に示すような表示装置を開発することにより、スピーカの存在感をなくし、キャビネットの前側のデザインをスリムな印象に見せることができるようにした。この表示装置は、前側に表示面を有する表示部１００の下側に装着されているスピーカと、表示部１００の周縁部を被覆する枠部１０１及びスピーカの前側を被覆し、音声を外部に放出する複数の大孔１０２を有する音声放出板部１０３とが一体に成形されているキャビネット１０４と、前記大孔１０２よりも小さい複数の小孔１０５が全面に亘って開設され、前記音声放出板部１０３の外面に両面テープ１０６により貼着されている装飾板１０７とを備える。
【０００６】
キャビネット１０４は、黒色の生地に銀色の塗料を塗装することにより明るい色調にしてある。また、両面テープ１０６は黒色をなし、音声放出板部１０３の大孔１０２に対応する箇所に、該大孔１０２よりも大きい貫通孔１０８が開設され、前記大孔１０２での音声出力量を確保できるようにしてある。
【０００７】
このように構成された表示装置にあっては、音声放出板部１０３と装飾板１０７との間に黒色の両面テープ１０６が介在され、明るい色調の音声放出板部１０３は大孔１０２の周りを除いて両面テープ１０６により黒くなっているため、装飾板１０７の小孔１０５に入光した光の反射をなくすることができる。しかし、両面テープ１０６の貫通孔１０８は音声放出板部１０３の大孔１０２よりも大きく形成され、大孔１０２での音声出力量を確保できるようにしてあるため、前側から装飾板１０７の小孔１０５に入光した光が音声放出板部１０３の大孔１０２の周りで前方に向けて反射し、反射光が小孔１０５内を直線的に出光し、大孔１０２の周りの塗装色が小孔１０５を通して枠状に見えることになり、違和感を来し、改善策が要望されていた。
【０００８】
図１１は図１０に示す表示装置の改善策を示す横断面図である。大孔１０２の周りの銀色の塗装色が小孔１０５を通して見えるのをなくするには、大孔１０２の周りをマスキングして音声放出板部１０３を明るい色調に塗装し、塗装後にマスキングを取り除くことが考えられる。しかし、この場合、マスキングする工程、及びマスキングを取り除く工程が増えることになり、さらなる改善策が要望されていた。
【０００９】
本発明は斯かる事情に鑑みてなされたものであり、主たる目的は音声放出板部に開設されている大孔の装飾板に臨む側を該大孔の中心軸に対して傾斜する方向へ広くすることにより、外部から装飾板の小孔に入光した光の反射光が小孔内を直線的に出光しないようにすることによりマスキングすることなく大孔周りの音声放出板部を小孔から見え難くすることができるスピーカ装置及び表示装置を提供することにある。
【課題を解決するための手段】
【００１０】
本発明に係るスピーカ装置は、大孔を有する音声放出板部と、複数の小孔を有し、前記音声放出板部の一面を装飾する装飾板とを備えたスピーカ装置において、前記大孔は、前記装飾板に臨む側を該大孔の中心軸に対して傾斜する方向へ広くしてあることを特徴とする。
【００１１】
この発明にあっては、外部から装飾板の小孔に入光した光が音声放出板部の大孔の周りに当たったとき、大孔の傾斜する面にて大孔の中心軸に対して傾斜する方向へ反射することになり、大孔の周りにて反射した反射光が小孔内を直線的に出光するのを防ぐことができるため、大孔の周りをマスキングすることなく、大孔周りの音声放出板部を小孔を通して見え難くすることができる。
【００１２】
また、本発明に係るスピーカ装置は、前記大孔の軸断面形状は台形をなしている構成とするのが好ましい。
この発明にあっては、大孔の中心軸に対して傾斜する角度を、反射光が小孔内を直線的に出光することが困難な角度に設定することができるため、大孔の周りにて反射した反射光が小孔内を直線的に出光するのをより一層良好に防ぐことができる。
【００１３】
また、本発明に係るスピーカ装置は、前記音声放出板部の一面及び前記大孔内は塗装してあり、前記装飾板は、前記大孔に対応する箇所に該大孔よりも大きい貫通孔を有する両面テープにより前記音声放出板部に貼付けられている構成とするのが好ましい。
この発明にあっては、音声放出板部の色と異なる色の両面テープを用いることにより、音声放出板部の非大孔部分を隠蔽することができるため、大孔に対応する箇所、及びこの箇所以外の箇所に小孔を開設して装飾効果を高める場合においても、音声放出板部の非大孔部分にて反射した反射光が小孔内を直線的に出光するのを防ぐことができる。
【００１４】
また、本発明に係る表示装置は、表示面を有する表示部と、該表示部を支持する支持体と、前記表示部の一側に装着される前述した発明のスピーカ装置とを備えることを特徴とする。
この発明にあっては、外部から装飾板の小孔に侵入した光が音声放出板部の大孔の周りに当たったとき、大孔の傾斜する面にて大孔の中心軸に対して傾斜する方向へ反射することになり、大孔の周りにて反射した反射光が小孔内を直線的に出光するのを防ぐことができるため、大孔の周りをマスキングすることなく、大孔周りの音声放出板部を小孔を通して見え難くすることができる。
【発明の効果】
【００１５】
本発明によれば、外部から装飾板の小孔に侵入した光が音声放出板部の大孔の周りに当たったとき、大孔の傾斜する面にて大孔の中心軸に対して傾斜する方向へ反射することになり、大孔の周りにて反射した反射光が小孔内を直線的に出光するのを防ぐことができるため、大孔の周りをマスキングすることなく、大孔周りの音声放出板部を小孔を通して見え難くすることができる。
【発明を実施するための最良の形態】
【００１６】
以下本発明をその実施の形態を示す図面に基づいて詳述する。図１は本発明に係るスピーカ装置が装着された表示装置の構成を示す正面図、図２は表示装置の一部を拡大した縦断面図、図３は表示装置の装飾板を取外してある状態の一部を拡大した正面図、図４は装飾板の構成を示すもので、(a) は一端側を拡大した正面図、(b) は一端側を拡大した背面図、図５は装飾板と両面テープとの関係を示す正面図、図６は表示装置の装飾板を取付けてある状態の一部を拡大した正面図、図７はスピーカ装置部分を拡大した横断面図である。
【００１７】
図示したスピーカ装置Ａは、テレビ画像等を表示し、前面視略直方形をなす表示装置２０の下部に装着されるものであり、表示装置２０における前キャビネット２１の下部と一体に成形されている音声放出板部１と、該音声放出板部１の後側に配設されるスピーカ２と、音声放出板部１の外面を装飾する装飾板３とを備える。
【００１８】
音声放出板部１は前キャビネット２１とともに黒色の合成樹脂材料により前キャビネット２１の両側縁に亘って帯状に形成されており、該音声放出板部１の長手方向両側に、音声を外部に出力する複数の大孔１１が横方向に離隔して開設されている。また、音声放出板部１の外面には装飾板３に対応する凹所１２が周縁部を残して設けられ、音声放出板部１の外面及び前キャビネット２１の外面に銀色等の比較的明るい色の塗料が塗装され、明るい色調にしてある。
【００１９】
大孔１１は図３に示すように矩形をなし、該大孔１１の装飾板３に臨む一縁側（外面側）を大孔１１の中心軸Ｏに対して傾斜する方向へ広くしてある。図７では大孔１１の中途から一縁に亘って約４５度の傾斜角で広くすることにより軸断面形状を台形にしてあり、大孔１１内も前記塗料により塗装してある。
【００２０】
装飾板３は音声放出板部１と同系色の金属板を成形してなり、音声放出板部１の凹所１２に対応する大きさに形成され、大孔１１よりも遥かに小さい複数の小孔３１が全面に亘って開設されている。小孔３１は比較的小径の丸孔であり、比較的近接して開設されている。装飾板３の裏面には黒色の両面テープ４が貼着されている。
【００２１】
両面テープ４は装飾板３とほぼ等しい大きさに成形され、音声放出板部１の大孔１１と対応する箇所に、大孔１１よりも大きい貫通孔４１が開設されている。貫通孔４１は図７に示すように大孔１１の一縁及び他縁間に配される大きさに形成されている。尚、両面テープ４は全体が黒色である他、装飾板３側だけが黒色であってもよい。
【００２２】
スピーカ２は低音用の音源２ａ、及び中・高温用の音源２ｂと、夫々の音源２ａ，２ｂを横に並べて保持し、一方の音源２ａが発生した低音の音声、及び他方の音源２ｂが発生した中・高温の音声を大孔１１（前方）へ放出する音声出力部を有する保持ケースとを備え、該保持ケースが音声放出板部１の長手方向両側の後に配設され、前記音声出力部が放出した音声を大孔１１から前方へ放出するように構成されている。
【００２３】
以上のように構成されたスピーカ装置Ａは、両側部に複数の大孔１１が開設され、明るい色調の銀色に塗装されている音声放出板部１の凹所１２に、図６に示すように全面に亘って小孔３１が開設され、音声放出板部１と同系色の装飾板３が、大孔１１に対応する貫通孔４１を開設してある黒色の両面テープ４により貼付けられているため、表示装置の前側で目視したとき、音声放出板部１の後側に配設されているスピーカ２の存在感をなくすることができ、表示装置における前キャビネット２１の前側のデザインをスリムな印象に見せることができる。
【００２４】
スピーカ２が発生した音声は、音声放出板部１の大孔１１から貫通孔４１及び小孔３１を経て前方へ出力される。音声放出板部１の前方から装飾板３の小孔３１に入光した光は、両面テープ４に当たり、また、両面テープ４の貫通孔４１を通過して音声放出板部１の大孔１１の周りに当たる。
【００２５】
両面テープ４は黒色であるため、両面テープ４に当たった光は反射せず、小孔３１内は暗く見える。音声放出板部１の大孔１１の周りに当たる光は、大孔１１の断面台形の傾斜面１１ａに当たり、傾斜面１１ａにより入光方向とは異なる方向へ反射し、小孔３１内へ前方から入光する方向へは反射しない。従って、表示装置の前側で装飾板３を目視されたとき、小孔３１内は暗く見え、明るい色調の音声放出板部１は小孔３１から見え難い。このように表示装置における前キャビネット２１及び音声放出板部１を明るい色調とした場合において、大孔１１の周りをマスキングすることなく、大孔１１の周りにて反射した反射光が小孔３１内を直線的に出光するのを低減できるため、部品点数を増加することなく、音声放出板部１の後側に配設されているスピーカ２の存在感をなくすることができる。
【００２６】
以上のようにスピーカ装置が装着される表示装置２０は、テレビ画像等を表示する表示面２２ａを前側に有する表示部２２と、該表示部２２の後側に配されているバックライト部２３と、該バックライト部２３及び表示部２２間に配されている光学シート２４と、表示部２２及びバックライト部２３の周縁部を被覆する前キャビネット２１と、バックライト部２３の周縁部及び後側を被覆する後キャビネット２５と、表示部２２及びバックライト部２３を起立状態に支持するスタンド２６とを備え、表示面２２ａに表示される画像に対応した音声が、横方向両側のスピーカ２，２から前方へ放出されるように構成される。尚、バックライト部２３は表示部２２を支持する支持体を構成している。
【００２７】
尚、以上説明した実施の形態では、表示装置の下部ほぼ全幅に亘って装飾板３が配され、該装飾板３のほぼ全面に亘って小孔３１が開設されている構成について説明したが、その他、スピーカ２，２に対応する箇所にだけ装飾板３が配されている構成としてもよい。
【００２８】
また、大孔１１が開設されていない箇所に亘って小孔３１が開設されている装飾板３を備える構成としたが、その他、装飾板３は大孔１１に対応する箇所にだけ小孔３１が開設されている構成であってもよい。この場合、両面テープ４は黒色でなくともよい。また、大孔１１は矩形をなす他、円形であってもよく、形状は特に制限されない。
【００２９】
また、以上説明した実施の形態では、装飾板３を黒色の両面テープ４により貼り付け、大孔１１が開設されていない箇所で光が反射するのを防ぐように構成したが、その他、例えば装飾板３の周縁部に貼着される枠状の両面テープ４の内縁に、大孔１１に対応する貫通孔４１が開設されている暗色シートが結合されているシート部材により装飾板３を取付ける構成としてもよいし、また、大孔１１に対応する貫通孔４１が開設され、装飾板３の裏面に接着剤等の接合手段により接合されている暗色シートを有する構成とし、該暗色シートを音声放出板部１に接合することにより装飾板３を取付けるようにしてもよい。
【００３０】
また、本発明に係る表示装置は液晶テレビジョン等の液晶表示装置である他、プラズマ表示装置、ＥＬディスプレイ等の表示装置であってもよい。
【図面の簡単な説明】
【００３１】
【図１】本発明に係るスピーカ装置が装着された表示装置の構成を示す正面図である。
【図２】本発明に係る表示装置の一部を拡大した縦断面図である。
【図３】本発明に係る表示装置の装飾板を取外してある状態の一部を拡大した正面図である。
【図４】装飾板の構成を示すもので、(a) は一端側を拡大した正面図、(b) は一端側を拡大した背面図である。
【図５】装飾板と両面テープとの関係を示す正面図である。
【図６】本発明に係る表示装置の装飾板を取付けてある状態の一部を拡大した正面図である。
【図７】本発明に係るスピーカ装置部分を拡大した横断面図である。
【図８】本発明の出願人が先に開発した表示装置の装飾板を取外してある状態の一部を拡大した正面図である。
【図９】裏面に両面テープが貼着されている装飾板の一部の構成を示す正面図である。
【図１０】本発明の出願人が先に開発した表示装置の装飾板を取付けてある状態を示すもので、(a) は一部を拡大した正面図、(b) は横断面図である。
【図１１】図１０に示す表示装置の改善策を示す横断面図である。
【符号の説明】
【００３２】
１    音声放出板部
１１  大孔
３    装飾板
３１  小孔
４    両面テープ
４１  貫通孔
２０  表示装置
２２  表示部
２２ａ  表示面
２３  バックライト部（支持体）
【図１】
2009177622.tif 000003
【図２】
2009177622.tif 000004
【図３】
2009177622.tif 000005
【図４】
2009177622.tif 000006
【図５】
2009177622.tif 000007
【図６】
2009177622.tif 000008
【図７】
2009177622.tif 000009
【図８】
2009177622.tif 000010
【図９】
2009177622.tif 000011
【図１０】
2009177622.tif 000012
【図１１】
2009177622.tif 000013